(57)【要約】【課題】落下した場合に開封されにくく、かつ、使用する場合に開封しやすい医療器具用容器を提供すること。【解決手段】容器本体１０と、容器本体１０の開口１０１を開閉可能な蓋体２０と、容器本体１０と蓋体２０とを接続するヒンジ部３０と、を備え、容器本体１０は、他端部に形成された容器本体側突出片１５１と、容器本体側突出片１５１よりも容器本体１０における一端部側に位置する容器本体側係止端部１５３と、を有し、蓋体２０は、他端部に形成された蓋体側突出片２４１と、蓋体側突出片２４１から蓋体２０における一端部側に延びる蓋体側係止片２４２と、を有し、蓋体側係止片２４２は、容器本体１０における蓋体側突出片２４１が配置される面とは反対側の面側に配置されて、容器本体側係止端部１５３に引っ掛けられて係止され、蓋体側突出片２４１は、容器本体側突出片１５１よりも他端部側の外方に突出して配置される。【選択図】図１
2018090303.tif 000002
【特許請求の範囲】
【請求項１】
医療器具が収容され、長手方向に延びると共に、開口が設けられた容器本体と、
前記容器本体の前記開口を開閉可能な蓋体と、
前記容器本体と前記蓋体とを長手方向の一端部において接続するヒンジ部と、を備える医療器具用容器であって、
前記容器本体は、前記容器本体における長手方向の他端部に形成された容器本体側突出片と、前記容器本体側突出片よりも前記容器本体における長手方向の一端部側に位置する容器本体側係止端部と、を有し、
前記蓋体は、前記蓋体における長手方向の他端部に形成された蓋体側突出片と、前記蓋体側突出片から前記蓋体における長手方向の一端部側に延びる蓋体側係止片と、を有し、
前記蓋体側係止片は、前記容器本体における前記蓋体側突出片が配置される面とは反対側の面側に配置されて、前記容器本体側係止端部に引っ掛けられて係止され、
前記蓋体側突出片は、前記容器本体側突出片よりも他端部側の外方に突出して配置される医療器具用容器。
【請求項２】
前記蓋体側突出片が前記容器本体側突出片よりも他端部側の外方に突出する長さは、３．０ｍｍ以上である請求項１に記載の医療器具用容器。
【請求項３】
前記蓋体側係止片が前記容器本体側係止端部に引っ掛けられて係止される場合において、前記蓋体側係止片と前記容器本体との重なり長さは、８．０ｍｍ以下である請求項１又は２に記載の医療器具用容器。
【請求項４】
前記医療器具は、ピンセットである請求項１から３のいずれかに記載の医療器具用容器。
【発明の詳細な説明】
【技術分野】
【０００１】
本発明は、医療器具用容器に関する。より詳しくは、医療器具が収容される容器本体と、容器本体の開口を開閉可能な蓋体と、容器本体と蓋体とを一端部において接続するヒンジ部と、を備える医療器具用容器に関する。
【背景技術】
【０００２】
従来、医療器具用の容器として、袋状の容器が知られている（例えば、特許文献１参照）。また、医療器具用の容器として、容器本体と、容器本体の開口に配置される蓋体と、を備えるものが知られている（例えば、特許文献２参照）。
【先行技術文献】
【特許文献】
【０００３】
【特許文献１】実開平２−７３１３９号公報
【特許文献２】実開昭６３−１１１１４７号公報
【発明の概要】
【発明が解決しようとする課題】
【０００４】
医療器具用の容器においては、容器を落下した場合に、容器が開封して、容器に収容された医療器具が容器の外に飛び出してしまうと、医療器具の清潔性及び滅菌性が保たれなくなり、医療器具を使用できなくなる。
そのため、医療器具用の容器においては、容器を落下した場合に、容器に収容された医療器具が容器の外に飛び出さないように、容器は開封されにくいことが求められる。一方、容器に収容された医療器具を容器から取り出す場合に、容器を開封しやすいことが求められる。
【０００５】
本発明は、落下した場合に開封されにくく、かつ、使用する場合に開封しやすい医療器具用容器を提供することを目的とする。
【課題を解決するための手段】
【０００６】
本発明は、医療器具が収容され、長手方向に延びると共に、開口が設けられた容器本体と、前記容器本体の前記開口を開閉可能な蓋体と、前記容器本体と前記蓋体とを長手方向の一端部において接続するヒンジ部と、を備える医療器具用容器であって、前記容器本体は、前記容器本体における長手方向の他端部に形成された容器本体側突出片と、前記容器本体側突出片よりも前記容器本体における長手方向の一端部側に位置する容器本体側係止端部と、を有し、前記蓋体は、前記蓋体における長手方向の他端部に形成された蓋体側突出片と、前記蓋体側突出片から前記蓋体における長手方向の一端部側に延びる蓋体側係止片と、を有し、前記蓋体側係止片は、前記容器本体における前記蓋体側突出片が配置される面とは反対側の面側に配置されて、前記容器本体側係止端部に引っ掛けられて係止され、前記蓋体側突出片は、前記容器本体側突出片よりも他端部側の外方に突出して配置される医療器具用容器に関する。
【０００７】
また、前記蓋体側突出片が前記容器本体側突出片よりも他端部側の外方に突出する長さは、３．０ｍｍ以上であることが好ましい。
【０００８】
また、前記蓋体側係止片が前記容器本体側係止端部に引っ掛けられて係止される場合において、前記蓋体側係止片と前記容器本体との重なり長さは、８．０ｍｍ以下であることが好ましい。
【０００９】
また、前記医療器具は、ピンセットであることが好ましい。
【発明の効果】
【００１０】
本発明によれば、落下した場合に開封されにくく、かつ、使用する場合に開封しやすい医療器具用容器を提供することができる。
【図面の簡単な説明】
【００１１】
【図１】本発明の一実施形態に係る医療器具用容器を示す斜視図であって、蓋体が閉位置に位置する場合を示す斜視図である。
【図２】医療器具用容器の蓋体が開位置に位置する場合を示す斜視図である。
【図３】医療器具用容器の長手方向の先端側を示す平面図である。
【図４】評価例２の実験方法を示す図であって、蓋体の蓋体側突出片を指で押し上げて、開封時角度αを測定する場合を示す図である。
【図５】重なり長さと開封時角度の関係を示すグラフである。
【発明を実施するための形態】
【００１２】
以下、本発明の医療器具用容器の好ましい一実施形態について、図面を参照しながら説明する。本実施形態の医療器具用容器１には、例えば、ピンセット４（医療器具）が収容される。医療器具用容器１は、図１及び図２に示すように、長手方向ＬＤに延びて形成される。医療器具用容器１に収容されるピンセット４は、ピンセット４の長手方向が医療器具用容器１の長手方向ＬＤに沿った状態で、医療器具用容器１に収容される。ピンセット４が収容された医療器具用容器１は、袋状の容器（図示せず）に収容された状態で、例えば、手術室に持ち込まれる。医療器具用容器１を収容した袋状の容器（図示せず）は、例えば、手術室で開封される。その後、ピンセット４が収容された医療器具用容器１が開封されて、医療器具用容器１から、ピンセット４が取り出される。
【００１３】
まず、本実施形態における医療器具用容器１に収容されるピンセット４について説明する。図２に示すように、ピンセット４は、所定方向に延びて形成され、一対の先端部４１と、一対の先端側傾斜部４２と、一対の先端側延在部４３と、一対の交差部４４と、一対の把持部４５と、一対の後端部４６と、を有する。
【００１４】
一対の先端部４１は、互いに平行に延びる。一対の先端部４１は、ピンセット４を水平方向に延びるように配置した状態で、一対の先端側延在部４３、一対の交差部４４、一対の把持部４５、及び一対の後端部４６よりも、一段高い位置において直線状に延びる。一対の先端部４１には、ピンセット４を医療器具用容器１に収容する際に、一対の先端部４１を保護するように、先端キャップ４７が装着される。
【００１５】
。
一対の先端側傾斜部４２は、それぞれ、先端部４１に接続され、先端部４１よりも一段低い位置に向けて傾斜して延びる。一対の先端側傾斜部４２は、互いに平行に延びる。
一対の先端側延在部４３は、それぞれ、先端側傾斜部４２の先端部４１とは反対側に接続される。一対の先端側延在部４３は、それぞれ、先端部４１よりも一段低い位置において、後部側に直線状に延びる。一対の先端側延在部４３は、互いに平行に延びる。
一対の交差部４４は、それぞれ、先端側延在部４３の先端側傾斜部４２とは反対側に接続される。一対の交差部４４は、それぞれ、平面視において先端側の部分において互いが交差して形成され、交差する部分の後部側において、先端側から後端側に向かうにしたがって離間して直線状に延びる。
【００１６】
一対の把持部４５は、それぞれ、交差部４４の先端側延在部４３とは反対側に接続される。一対の把持部４５は、指で把持された場合に、一対の先端部４１、一対の先端側傾斜部４２及び一対の先端側延在部４３が開閉するように、先端側が長手方向に直交する方向に離間して配置され、先端側から後端側に向かうにしたがって離間する距離が小さくなるように形成される。
一対の後端部４６は、それぞれ、把持部４５の後端側の端部から直線状に延び、最も後端において、互いが接続されている。
【００１７】
医療器具用容器１の構成について、図１〜図３を参照しながら説明する。なお、本実施形態においては、医療器具用容器１の長手方向ＬＤにおいて、ピンセット４の先端側が配置される側を先端部（他端部）側といい、ピンセット４の後端側が配置される側を後端部（一端部）側という。
【００１８】
医療器具用容器１は、開口１０１を有しピンセット４が収容される容器本体１０と、容器本体１０の開口１０１を開閉可能な蓋体２０と、容器本体１０と蓋体２０とを接続するヒンジ部３０と、を備える。医療器具用容器１を構成する材料は、例えば、ポリプロピレンなどの樹脂材料から構成される。
【００１９】
図２に示すように、容器本体１０は、底部を有し、上面に開口１０１を有するケース状に形成される。容器本体１０は、長手方向ＬＤに延びて形成される。容器本体１０は、ピンセット４に負荷をかけない状態で、ピンセット４を収容できるように、複数の凹部（先端側収容凹部１１、延在部収容凹部１２、把持部収容凹部１３、後部収容凹部１４）を有すると共に、上段面１１０、中段面１２０及び下段面１３０を有する段差状に形成される。
また、容器本体１０は、先端側収容凹部１１、延在部収容凹部１２、把持部収容凹部１３、後部収容凹部１４及び上段周縁板部１５の上方においてこれら複数の凹部を囲むように配置された上段周縁板部１５と、この周縁本体板部１５２の内周縁から下方に延びる内周壁部１６と、を有する。
【００２０】
上段周縁板部１５は、板状に形成される。この上段周縁板部１５の上面は、容器本体１０の上段面１１０を構成する。上段周縁板部１５は、容器本体側突出片１５１と、周縁本体板部１５２と、を有し、容器本体側突出片１５１及び周縁本体板部１５２は、同一平面上に配置される。
【００２１】
周縁本体板部１５２は、先端側の一部が開放した略方形枠状に形成され、延在部収容凹部１２、把持部収容凹部１３及び後部収容凹部１４の周囲を囲む。
容器本体側突出片１５１は、容器本体１０における長手方向ＬＤの先端部に配置される。容器本体側突出片１５１は、平面視Ｕ字状に形成され、Ｕ字の開いた部分が周縁本体板部１５２の先端に接続され、Ｕ字の閉じた部分が周縁本体板部１５２から先端側に突出するように形成される。容器本体側突出片１５１は、周縁本体板部１５２の幅方向ＷＤの中央から先端側に突出すると共に、周縁本体板部１５２よりも幅方向ＷＤの範囲が狭い範囲に配置される。
【００２２】
周縁本体板部１５２の長手方向ＬＤの先端部における容器本体側突出片１５１が配置されない部分には、一対の係止端部１５３（容器本体側係止端部）が形成される。
【００２３】
一対の係止端部１５３は、周縁本体板部１５２における容器本体側突出片１５１が接続されない部分の最も先端側に位置し、幅方向ＷＤに離間して形成され、容器本体１０の幅方向ＷＤに延びる。一対の係止端部１５３は、容器本体側突出片１５１の先端部よりも容器本体１０における長手方向ＬＤの後端部側に位置する。一対の係止端部１５３には、後述する蓋体２０の蓋体側係止片２４２が係止される。
一対の係止端部１５３は、図３に示すように、平面視で円弧状に窪む容器本体側曲線部分１５３ｂを介して、容器本体側突出片１５１の側部に接続されている。
【００２４】
内周壁部１６は、図２に示すように、周縁本体板部１５２の内周縁から下方に延びる壁状に形成される。内周壁部１６の内面は、容器本体１０の開口１０１を構成する。内周壁部１６のうちの幅方向ＷＤに離間した一対の壁部の内面には、内部側に突出する複数の係止突起１６１が形成されている。複数の係止突起１６１は、厚さ方向ＴＤに延び、かつ、長手方向ＬＤに離間して配置される。
【００２５】
先端側収容凹部１１、延在部収容凹部１２、把持部収容凹部１３及び後部収容凹部１４は、容器本体１０の長手方向ＬＤの先端側から後端側に向けて、この順に配置される。
先端側収容凹部１１は、上段周縁板部１５の容器本体側突出片１５１のＵ字の開いた部分において下方に窪んで形成される。延在部収容凹部１２、把持部収容凹部１３及び後部収容凹部１４は、内周壁部１６の下方側に形成される。
【００２６】
先端側収容凹部１１には、ピンセット４の一対の先端部４１が配置される。先端側収容凹部１１の底面は、中段面１２０の一部を構成する。
延在部収容凹部１２の底面、把持部収容凹部１３の底面及び後部収容凹部１４の底面は、先端側収容凹部１１の底面よりも一段低い位置に配置され、下段面１３０を構成する。
延在部収容凹部１２には、ピンセット４の一対の先端側延在部４３が配置される。
把持部収容凹部１３には、ピンセット４の一対の把持部４５が配置される。
【００２７】
延在部収容凹部１２の幅方向ＷＤの両側及び把持部収容凹部１３の先端側の部分の幅方向ＷＤの両側には、一対の中部側凸部１２１が形成される。一対の中部側凸部１２１の上面は、中段面１２０の一部を構成する。把持部収容凹部１３における一対の中部側凸部１２１に挟まれた部分には、ピンセット４の一対の交差部４４及び一対の把持部４５の先端側の部分が配置される。これにより、ピンセット４の一対の把持部４５の先端側の部分において、ピンセット４の幅方向ＷＤの移動が規制される。
【００２８】
把持部収容凹部１３の長手方向ＬＤの中央部分において幅方向ＷＤの両側には、一対の把持空間１３１が形成される。一対の把持空間１３１は、容器本体１０に収容されたピンセット４を取り出す際に、ピンセット４の一対の把持部４５を指で把持する場合に指を挿入するための空間である。
【００２９】
把持部収容凹部１３の長手方向ＬＤの後部側の部分において幅方向ＷＤの両側には、一対の後部側凸部１３２が形成される。一対の後部側凸部１３２の上面は、中段面１２０の一部を構成する。把持部収容凹部１３における一対の後部側凸部１３２に挟まれた部分には、ピンセット４の一対の把持部４５の後部側の部分が配置される。これにより、ピンセット４の一対の把持部４５の後部側の部分において、ピンセット４の幅方向ＷＤの移動が規制される。
【００３０】
蓋体２０は、図２に示すように、長手方向ＬＤに延びて形成される。蓋体２０の長手方向ＬＤの後端部は、ヒンジ部３０を介して、容器本体１０の後端部に接続される。ヒンジ部３０は、容器本体１０と蓋体２０とを長手方向ＬＤの後端部において接続する。蓋体２０は、ヒンジ部３０の回動軸を中心に回動可能であり、容器本体１０の開口１０１に配置される閉位置と、容器本体１０の開口１０１を開放する開位置と、の間で回動可能に構成される。
【００３１】
蓋体２０は、ヒンジ部３０から長手方向ＬＤに直線状に延びる第１接続板２１と、第１接続板２１の長手方向ＬＤの先端部に接続されると共に第１接続板２１よりも幅方向ＷＤの長さが大きい中央側蓋部２２と、中央側蓋部２２の長手方向ＬＤの先端部に接続されると共に中央側蓋部２２よりも幅方向ＷＤの長さが小さい第２接続板２３と、第２接続板２３の長手方向ＬＤの先端部に接続される係止板部２４と、を有する。
【００３２】
中央側蓋部２２は、蓋部側周縁板部２２４と、この蓋部側周縁板部２２４における長手方向ＬＤの先端側に形成される第１凹部２２１と、第１凹部２２１よりも後端側に形成される第２凹部２２２と、蓋体２０が閉位置に位置する場合に第２凹部２２２の底部から下方に窪む一対の第３凹部２２３と、を有する。
【００３３】
第１凹部２２１は、蓋体２０が閉位置に位置する場合に、蓋体２０の上面から窪む。第１凹部２２１は、蓋体２０が閉位置に位置する場合に、延在部収容凹部１２及び一対の中部側凸部１２１の上方に配置される。第１凹部２２１における幅方向ＷＤの両側における長手方向ＬＤに延びる側面は、容器本体１０の内周壁部１６の内面に形成された複数の係止突起１６１により係止される。
【００３４】
第２凹部２２２は、蓋体２０が閉位置に位置する場合に、蓋体２０の上面から第１凹部２２１よりも深く窪む。第２凹部２２２は、第１凹部２２１よりも長手方向ＬＤの後端側に配置され、蓋体２０が閉位置に位置する場合に、把持部収容凹部１３の上方に配置される。第２凹部２２２における幅方向ＷＤの両側における長手方向ＬＤに延びる側面は、容器本体１０の内周壁部１６の内面に形成された複数の係止突起１６１により係止される。
【００３５】
一対の第３凹部２２３は、蓋体２０が閉位置に位置する場合に、第２凹部２２２の底部から窪んで形成される。一対の第３凹部２２３は、幅方向ＷＤに離間して配置され、長手方向ＬＤに延びる。一対の第３凹部２２３は、蓋体２０が閉位置に位置する場合に、一対の把持空間１３１に配置される。一対の第３凹部２２３は、蓋体２０が閉位置に位置する場合に、ピンセット４の把持部４５の幅方向ＷＤの両側に配置され、ピンセット４の一対の把持部４５の幅方向ＷＤの両側において、ピンセット４の幅方向ＷＤの移動を規制する。
【００３６】
係止板部２４は、図３に示すように、先端側に突出する蓋体側突出片２４１と、蓋体側突出片２４１の幅方向ＷＤの両端部から後部側（ヒンジ部３０側）に延びる一対の蓋体側係止片２４２と、を有する。
【００３７】
蓋体側突出片２４１は、蓋体２０における長手方向ＬＤの先端部に形成される。蓋体側突出片２４１は、蓋体２０が閉位置に位置する場合に、容器本体１０の容器本体側突出片１５１に対向して配置され、平面視で容器本体側突出片１５１に重なる。
図３に示すように、蓋体２０の蓋体側突出片２４１は、蓋体２０が閉位置に位置する場合に、容器本体１０の容器本体側突出片１５１よりも、先端部側の外方に、突出長さＬ１突出して配置される。本実施形態では、突出長さＬ１は、例えば、４ｍｍに設定される。なお、後述する評価例において、突出長さＬ１の範囲についての検証を行った。突出長さＬ１の範囲についての評価結果は後述する。
【００３８】
一対の蓋体側係止片２４２は、蓋体側突出片２４１における幅方向ＷＤの両端部の後部から、蓋体２０における長手方向ＬＤの後端側に延びる。一対の蓋体側係止片２４２は、図３に示すように、平面視で円弧状に窪む蓋体側曲線部分２４２ｂを介して、蓋体側突出片２４１の後部に接続されている。蓋体２０の蓋体側曲線部分２４２ｂは、一対の蓋体側係止片２４２が容器本体１０の一対の係止端部１５３に係止されて蓋体２０が閉位置に位値する場合に、容器本体１０の容器本体側曲線部分１５３ｂに対向して配置される。
【００３９】
一対の蓋体側係止片２４２は、容器本体１０における蓋体側突出片２４１が配置される表面とは反対側の裏面側に配置されて、容器本体１０の一対の係止端部１５３に引っ掛けられて、容器本体１０に係止される。蓋体２０の一対の蓋体側係止片２４２と容器本体１０の周縁本体板部１５２とは、長手方向ＬＤにおいて、重なり長さＬ２の範囲で、重なっている。本実施形態では、重なり長さＬ２は、例えば、７ｍｍに設定される。なお、後述する評価例において、重なり長さＬ２の範囲についての検証を行った。重なり長さＬ２の範囲についての評価結果は後述する。
【００４０】
一対の蓋体側係止片２４２には、上方に突出する突状部２４２ａが形成される。突状部２４２ａは、蓋体側係止片２４２の剛性を高めるために設けられ、長手方向ＬＤに延びる。突状部２４２ａは、蓋体側係止片２４２が容器本体１０の一対の係止端部１５３に係止された場合に、係止端部１５３の下方側において、係止端部１５３が延びる方向に直交（交差）して配置される。
【００４１】
以上のように構成される医療器具用容器１においては、蓋体２０が閉位置に位置する場合に、蓋体２０の蓋体側突出片２４１は、容器本体１０の容器本体側突出片１５１よりも先端側の外方に突出して配置される。また、蓋体側突出片２４１は、蓋体２０が閉位置に位置する場合に、容器本体１０の裏面側に配置された状態で、容器本体１０の一対の係止端部１５３に引っ掛けるようにして、容器本体１０に係止される。
【００４２】
そのため、ピンセット４が収容された医療器具用容器１が先端側から落下した場合に、蓋体２０の蓋体側突出片２４１が、容器本体１０の容器本体側突出片１５１よりも先に、机や床などの表面に衝突する。ここで、蓋体２０が容器本体１０よりも先に衝撃を受けるため、蓋体２０が落下の衝撃を吸収して、容器本体１０側への衝撃を低減できる。また、蓋体２０の円弧状の蓋体側曲線部分２４２ｂと、容器本体１０の円弧状の容器本体側曲線部分１５３ｂとが対向して配置されており、蓋体側突出片２４１からの衝撃を吸収しやすい。また、医療器具用容器１が樹脂材料で構成されるため、蓋体２０が撓んで落下の衝撃を吸収しやすい。このように、医療器具用容器１が先端側から落下した場合であっても、収容された医療器具４への影響を低減できる。特に、ピンセット４のような手術器具は、先端の精密性が要求されるところ、医療器具用容器１が先端側から落下した場合に、ピンセット４の先端への衝撃を低減できる。
【００４３】
また、蓋体側係止片２４２は、容器本体１０の裏面側に配置された状態で、容器本体１０の一対の係止端部１５３に引っ掛けるようにして、容器本体１０に係止されている。そのため、蓋体２０の蓋体側係止片２４２が一対の係止端部１５３に、より引っ掛かる側に移動するため、医療器具用容器１が先端側から落下した場合に、ピンセット４が収容された医療器具用容器１は、より強固に係合して、落下しても開封されにくい。
【００４４】
（評価例）
ここで、蓋体側突出片２４１が突出する突出長さＬ１及び蓋体２０の蓋体側係止片２４２と容器本体１０の周縁本体板部１５２との重なり長さＬ２について実験結果に基づいて評価を行った。
【００４５】
（評価例１）
蓋体側突出片２４１が突出する突出長さＬ１は、例えば、３．０ｍｍ以上であることが好ましく、３．３ｍｍ〜５．０ｍｍであることがより好ましい。なお、本実施形態においては、突出長さＬ１を、例えば４．０ｍｍに設定している。
【００４６】
蓋体側突出片２４１が突出する突出長さＬ１が、３．０ｍｍ以上であることが好ましい理由について、実験結果に基づいて説明する。
【００４７】
本実施形態の医療器具用容器１は、高さ２０ｃｍからの自由落下において開封しないことを基準として設計されている。
評価例１では、ピンセット４を収容した医療器具用容器１について、先端の突出長さＬ１を、−１ｍｍ、０ｍｍ、１．３ｍｍ、２．３ｍｍ、３．３ｍｍ、４．５ｍｍに変化させて、高さ４０ｃｍ（基準の２倍の高さ）より、連続して１０回落下させて、開封した回数を確認することで、検証を行った。
実験結果は、表１の通りである。
【００４８】
【表１】
2018090303.tif 000003
【００４９】
表１から、蓋体側突出片２４１の突出長さＬ１が＋の場合、つまり、蓋体側突出片２４１が容器本体側突出片１５１よりも突出している場合に、医療器具用容器１が開封されにくいという結果が得られた。特に、蓋体側突出片２４１の突出長さＬ１が、３．３〜４．５ｍｍである場合に、医療器具用容器１が開封しないという結果が得られた。
よって、蓋体側突出片２４１の突出長さＬ１を、３．０ｍｍ以上に設定することが好ましいという検証結果が得られた。
また、突出長さＬ１が５ｍｍを超えると、医療器具用容器１を梱包する場合に、梱包しにくくなる傾向があるため、蓋体側突出片２４１の突出長さＬ１は、５ｍｍ以下であることが好ましい。
以上の内容から、蓋体側突出片２４１が突出する突出長さＬ１が、例えば、３．０ｍｍ以上であることが好ましく、３．３ｍｍ〜５．０ｍｍであることがより好ましいという評価結果が得られた。
【００５０】
（評価例２）
また、蓋体２０の蓋体側係止片２４２と容器本体１０の蓋部側周縁板部２２４との重なり長さＬ２は大きいほど、開封しにくくなる。一方、蓋体２０の蓋体側係止片２４２と容器本体１０の蓋部側周縁板部２２４との重なり長さＬ２は小さいほど、開封しやすくなる。
開封しやすさの点からいうと、蓋体２０の蓋体側係止片２４２と容器本体１０の蓋部側周縁板部２２４との重なり長さＬ２は、例えば、８．０ｍｍ以下であることが好ましい。なお、本実施形態においては、重なり長さＬ２を、例えば、７．０ｍｍに設定している。
【００５１】
ここで、開封しやすさの点から、蓋体２０の蓋体側係止片２４２と容器本体１０の蓋部側周縁板部２２４との重なり長さは、例えば、８ｍｍ以下であることが好ましい理由について、実験結果に基づいて説明する。
【００５２】
評価例２では、蓋体２０の蓋体側係止片２４２と容器本体１０の蓋部側周縁板部２２４との重なり長さＬ２を２ｍｍ〜１０ｍｍまで、１ｍｍ単位で変化させて、蓋体２０の開封しやすさについて検証を行った。
【００５３】
図４に示すように、蓋体２０の蓋体側突出片２４１を指で押し上げて、蓋体２０が開封される際の蓋体２０の蓋体側突出片２４１の折り曲げ角度である開封時角度αを測定した。評価結果は、図５の通りである。
【００５４】
図５に示すように、重なり長さＬ２が大きくなるにしたがって、開封時角度αが大きくなり、開封しにくくなる。特に、図５に示すように、重なり長さＬ２が８ｍｍを超えると、開封時角度αが７０°を超えることになり、開封しにくくなるという結果が得られた。
以上の内容から、重なり長さＬ２が、例えば、８ｍｍ以下であることが好ましいという評価結果が得られた。
【００５５】
以上説明した本実施形態の医療器具用容器１によれば、以下のような効果を奏する。
【００５６】
（１）医療器具用容器１を、容器本体１０と、容器本体１０の開口１０１を開閉可能な蓋体２０と、容器本体１０と蓋体２０と接続するヒンジ部３０と、を含んで構成し、容器本体１０を、容器本体側突出片１５１と、容器本体側係止端部１５３ａと、を含んで構成し、蓋体２０を、蓋体側突出片２４１と、蓋体側係止片２４２と、を有して構成した。そして、蓋体側係止片２４２を、容器本体１０における蓋体側突出片２４１が配置される面とは反対側の面側に配置して、容器本体側係止端部１５３ａに引っ掛けられて係止されるように構成し、蓋体側突出片２４１は、容器本体側突出片１５１よりも先端部（他端部）側の外方に突出して配置されるようにした。
【００５７】
これにより、ピンセット４が収容された医療器具用容器１が先端側から落下した場合に、蓋体２０の蓋体側突出片２４１は、容器本体１０の容器本体側突出片１５１よりも先に、机や床などの表面に衝突する。ここで、蓋体２０が容器本体１０よりも先に衝撃を受けるため、蓋体２０が落下の衝撃を吸収して、容器本体１０側への衝撃を低減できる。よって、収容された医療器具４への影響を低減できる。特に、ピンセット４のような手術器具は、先端の精密性が要求されるところ、医療器具用容器１が先端側から落下した場合に、ピンセット４の先端への衝撃を低減できる。
また、蓋体側係止片２４２を、容器本体１０の裏面側に配置した状態で、容器本体１０の一対の係止端部１５３に引っ掛けるようにして、容器本体１０に係止させている。そのため、蓋体２０の蓋体側係止片２４２が一対の係止端部１５３に、より引っ掛かる側に移動するため、医療器具用容器１が先端側から落下した場合に、ピンセット４が収容された医療器具用容器１は、より強固に係合されて、落下しても、開封されにくい。
また、医療器具用容器１からピンセット４を取り出す際には、蓋体２０の蓋体側係止片２４２を容器本体１０から取り外すだけで、容易に、医療器具用容器１を開封できる。
【００５８】
（２）蓋体側突出片２４１が容器本体側突出片１５１よりも先端部側（他端部側）の外方に突出する長さを、３．０ｍｍ以上に構成した。これにより、医療器具用容器１が落下しても開封されにくいように構成できる。
【００５９】
（３）蓋体側係止片２４２と容器本体１０の周縁本体板部１５２との重なり長さを、８ｍｍ以下に構成した。これにより、蓋体側係止片２４２が容器本体１０に引っ掛かり過ぎず、医療器具用容器１を容易に開封できる。
【００６０】
（４）医療器具を、ピンセット４で構成した。これにより、先端に精密性が要求されるピンセット４を医療器具用容器１に収容した場合において、医療器具用容器１がより開封されにくい容器を使用することで、ピンセット４の先端をより保護できる。
【００６１】
以上、本発明の医療器具用容器１の好ましい一実施形態について説明したが、本発明は上記実施形態には制限されず、本発明の趣旨を逸脱しない限り適宜変更が可能である。
例えば、本実施形態では、医療器具をピンセットで構成したが、これに限られず、例えば、鉗子やハサミなどであってもよい。
【符号の説明】
【００６２】
１  医療器具用容器
４  ピンセット（医療器具）
１０  容器本体
２０  蓋体
３０  ヒンジ部
１０１  開口
１５１  容器本体側突出片
１５３  係止端部（容器本体側係止端部）
２４１  蓋体側突出片
２４２  蓋体側係止片
ＬＤ  長手方向
【図１】
2018090303.tif 000004
【図２】
2018090303.tif 000005
【図３】
2018090303.tif 000006
【図４】
2018090303.tif 000007
【図５】
2018090303.tif 000008